(57)【要約】【課題】位置決めや墨出し精度が高く、小型で且つ安価であり、携帯にも便利なレーザー式墨出し具の提供を課題とする。【解決手段】レーザー式墨出し具１は、直角を規定する２辺１１、１１を有する定規状の基体１０を備え、該基体１０には、測量上の基準点に対して位置合わせを行うための照準点１５を前記２辺１１、１１のコーナー部１３に設けると共に、一対のレーザー光源２０、２０を、そのレーザー光が前記２辺１１、１１の各辺に平行で且つ前記照準点１５を含む平面上に照射されるようにして設けた。【選択図】      図１
2007218817.tif 000002
【特許請求の範囲】
【請求項１】
直角を規定する２辺を有する定規状の基体を備え、該基体には、測量上の基準点に対して位置合わせを行うための照準点を前記２辺のコーナー部に設けると共に、一対のレーザー光源を、そのレーザー光が前記２辺の各辺に平行で且つ前記照準点を含む平面上に照射されるようにして設けたことを特徴とするレーザー式墨出し具。
【請求項２】
一対のレーザー光源は、そのレーザー光の照射角度を変更可能に基体に設けてあることを特徴とする請求項１に記載のレーザー式墨出し具。
【請求項３】
基体は、２辺がなす角度を直角以外の角度に切り換え又は変更できるように構成してあることを特徴とする請求項１又は２に記載のレーザー式墨出し具。
【請求項４】
照準点は、基体のコーナー部に設けた透視用穴部に設けてあることを特徴とする請求項１〜３の何れかに記載のレーザー式墨出し具。
【発明の詳細な説明】
【技術分野】
【０００１】
本発明はレーザー式墨出し具に関し、より詳しくは、測量基準面や測量基準点に当てがった状態でレーザー光を照射し、所定の角度をレーザー光で墨出しするレーザー式墨出し具に関する。
【背景技術】
【０００２】
照射するレーザー光を水平方向及び鉛直方向に回転させてレーザー光による墨出しを行い、また反射光を受光したときの反射点までの測距を行うレーザー距離計、このレーザー距離計の水平方向の回転角及び鉛直方向の回転角を測定する測量機器、この測量機器を三脚上で前記測距、測角のデータ、墨出しデータに基づいて駆動手段を制御することで自動整準するようにした高機能で三脚付きの墨出し装置及びその整準技術が知られている（特許文献１）。
また図５に示すような、水平、鉛直の墨出しができる程度の三脚付きの墨出し装置１０１も知られている。
更にレーザー水準器等、小型で簡易な手持ちのものも提供されている。
【特許文献１】特開２００５−３４５４１５号公報
【発明の開示】
【発明が解決しようとする課題】
【０００３】
特許文献１に記載のような高級機種のものはもとより、中級機種でも測量基準面上の基準点に墨出しの基点を位置合わせするレーザー照射を行うものがあって機能的、精度的に特に問題はない。しかし、機能が高まるほど取り扱いが複雑で専門的になり、使用し難くなる。現場では直角の測量が多々生じるが、設置使用に至るまでの時間効率が悪い。
また、何れも嵩だかで機能も微妙なため、大きなケースに入れての保管が必要で、携帯に不便である。
図５に示すようなものでも標準的な道具箱に入るほどでなく、まだ携帯に不便であるし、基準点を合わせるための作業が難しく、直角測量程度には時間が掛かりすぎる。にもかかわらず、さほど安価でない問題もある。
一方、手持ちタイプのものでは安価で取り扱い易いが、墨出し精度に問題がある。
【０００４】
そこで本発明は上記従来技術の問題を解決し、位置決めや墨出し精度が高く、小型で且つ安価であり、携帯にも便利なレーザー式墨出し具の提供を課題とする。
【課題を解決するための手段】
【０００５】
上記課題を達成するための本発明のレーザー式墨出し具は、直角を規定する２辺を有する定規状の基体を備え、該基体には、測量上の基準点に対して位置合わせを行うための照準点を前記２辺のコーナー部に設けると共に、一対のレーザー光源を、そのレーザー光が前記２辺の各辺に平行で且つ前記照準点を含む平面上に照射されるようにして設けたことを第１の特徴としている。
また本発明のレーザー式墨出し具は、上記第１の特徴に加えて、一対のレーザー光源は、そのレーザー光の照射角度を変更可能に基体に設けてあることを第２の特徴としている。
また本発明のレーザー式墨出し具は、上記第１又は第２の特徴に加えて、基体は、２辺がなす角度を直角以外の角度に切り換え又は変更できるように構成してあることを第３の特徴としている。
また本発明のレーザー式墨出し具は、上記第１〜第３の何れかの特徴に加えて、照準点は、基体のコーナー部に設けた透視用穴部に設けてあることを第３の特徴としている。
【発明の効果】
【０００６】
請求項１に記載のレーザー式墨出し具によれば、基体の直角を規定する２辺のうちの一方の辺を壁等の測量上の基準面（以下、測量基準面とする）に当てがい、一対のレーザー光源のうちの１方のレーザー光源をオンして、前記２辺の他方の辺に平行な平面上にレーザー光を照射することで、前記壁等の測量基準面に直角な方向を簡単に墨出しすることができる。
また床等の測量基準面上の測量上の基準点（以下、測量基準点とする）に対して、レーザー式墨出し具の基体を前記測量基準面に当てがい、基体の照準点を前記測量基準点に位置決めして合わせ、一対のレーザー光源をオンすることで、前記測量基準点を基準点とする直角をレーザー光によって自由に墨出しすることができる。
構成は、直角を規定する２辺を有する定規状の基体に照準点を設け、一対のレーザー光源を設けるだけであるから、十分に小型で軽量化を図ることができ、扱いや持ち運び、或いは道具箱への収納や取り出し等が非常に容易となり、現場での墨出し作業を十分に効率よく行うことができる。
【０００７】
また請求項２に記載のレーザー式墨出し具によれば、上記請求項１の構成による効果の加えて、一対のレーザー光源は、そのレーザー光の照射角度を変更できるようにしているので、基体の直角を規定する２辺に平行で且つ照準点を含めた平面上において、レーザー光の光線の傾きを変えることができ、床勾配に合わせた状態で、傾斜方向での墨出しや立体的なポイント取りも簡単に行うことができる。
【０００８】
また請求項３に記載のレーザー式墨出し具によれば、基体の２辺がなす角度を直角以外の角度に切り換え又は変更できるように構成することで、２つのレーザー光源が墨出し動作する２つの平面の交差角度を９０度以外の角度に設定するができ、必要に応じて直角方向以外の方向についての墨出し作業を兼用して行うことができる。
【０００９】
また請求項４に記載のレーザー式墨出し具によれば、照準点は基体のコーナー部に設けた透視用穴部に設けてあるので、透視用穴部を介して照準点と測量基準点とを視覚的に容易に重ね合わせて位置決めすることができる。よって墨出し作業がその分だけ簡単、容易に行うことができる。
【発明を実施するための最良の形態】
【００１０】
以下図面を参照して、本発明のレーザー式墨出し具の実施形態について説明する。
図１は本発明の実施形態に係るレーザー式墨出し具を示し、（Ａ）は平面図、（Ｂ）は側面図である。図２は本実施形態に係るレーザー式墨出し具による直角測量の使用例を説明する平面図、図３は本実施形態に係るレーザー式墨出し具による直角測量の使用例を説明する側面図、図４は本実施形態に係るレーザー式墨出し具による直角測量の他の使用例を説明する斜視図である。
【００１１】
図１の（Ａ）、（Ｂ）を参照して、本発明に係るレーザー式墨出し具１はアルミニウム合金製の基体１０と、該基体１０に取り付けられて設けられた１対のレーザー光源２０とを有する。
前記基体１０は直角を規定する２辺１１、１１を少なくとも持った定規状とし、より具体的には、斜辺１２を加えた三角定規状としている。基体１０の厚みは一定とし、平板状に構成している。
基体１０のコーナー部１３には透視用穴部１４を有する。該透視用穴部１４は、例えば透明部材で充填されており、その中心に照準点１５が設けられている。
【００１２】
前記基体１０の２辺１１、１１は、その側面１１ａ、１１ａが前記コーナー部１３を頂点にして直角に交わるように規定されている。
また基体１０の中央部は適当に開口１６され、重量が軽減されるようにすると共に、把持し易くしている。
【００１３】
前記基体１０の各辺１１、１１の先端付近に前記レーザー光源２０、２０が設けられている。
レーザー光源２０、２０は、それぞれ辺１１、１１に平行で、且つ前記照準点１５を含む平面上にレーザー光が照射されるように配置されている。
またレーザー光源２０、２０は、単純には、基体１０に固定して、レーザー光が辺１１、１１に平行で且つ基体１０が当てがわれる床や壁にも平行となるような方向に照射されるようにすることができる。しかし本実施形態では、各レーザー光源２０、２０は、軸１７によって、基体１０の表面１０ａ及び裏面１０ｂに垂直な面上、即ち基体１０が当てがわれる床や壁に垂直な面上において、首振り乃至回転できるように構成されている。
【００１４】
また基体１０には、各レーザー光源２０、２０の電源となる電池を取り替え自在に収納した電源部１８、１８と、該電源部１８、１８による各レーザー光源２０、２０への電力供給をオン、オフさせるスイッチ部１８ａ、１８ａが設けられている。
【００１５】
前記透視用穴部１４、電源部１８、スイッチ部１８ａ、レーザー光源２０等は、何れも基体１０の表・裏面１０ａ、１０ｂから突出しないように構成することができるが、本実施形態では透視用穴部１４、電源部１８、スイッチ部１８ａは基体１０の表面１０ａに多少突出した状態で構成されている。また基体１０の裏面１０ｂには、ごく小さな脚１９が突出して設けられている。
【００１６】
図２を参照して、本実施形態に係るレーザー式墨出し具１の使用例を説明する。この使用例は壁や柱等の測量基準面ＳＦに対する直角方向に墨出しする使用例である。
即ち、壁Ｗや柱等の測量基準面ＳＦに対して基体１０の一辺１１を当てがった状態で、他方の辺１１側にあるレーザー光源２０をスイッチオン状態とすることで、レーザー光Ｌが測量基準面ＳＦに直角な方向に照射される。このとき、前記測量基準面ＳＦ上の所定の測量基準点ＳＰに照準点１５を合わせることで（図４参照）、該測量基準点ＳＰにおける測量基準面ＳＦに直角な方向にレーザー光Ｌが照射されことになる。
【００１７】
図３を参照して、前記レーザー式墨出し具１を、床Ｆ面付近に配置できる場合は、レーザー光源２０のレーザー光Ｌの方向を床Ｆにほぼ平行に照射することで、床Ｆ面に沿った墨出しを行うことができる。
また前記レーザー式墨出し具１を、床Ｆ面より上方の位置の壁Ｗに配置する必要がある場合には、レーザー光源２０を軸１７の周りで傾けることにより、レーザー光Ｌを傾斜方向に照射して、床Ｆ面に所定のポイントＰを照射点として墨出しすることができる。
【００１８】
図４を参照して、本実施形態に係るレーザー式墨出し具１の他の使用例を説明する。この使用例は、床Ｆ等の測量基準面ＳＦ上にレーザー式墨出し具１の裏面１０ｂを接地して当てがい、レーザー式墨出し具１の照準点１５を前記測量基準面ＳＦの測量基準点ＳＰに一致するように位置決めして、測量基準点ＳＰを中心とした直角方向の墨出しを行う例である。
即ち、レーザー式墨出し具１の基体１０の裏面１０ｂをその脚１９で床Ｆ面である測量基準面ＳＦに当てがい、この状態で基体１０の照準点１５を、測量基準面ＳＦの測量基準点ＳＰに対し、透視用穴部１４を通して視認しながら相互に重ね合わせる。そして基体１０の一方のレーザー光源２０から照射されるレーザー光Ｌを測量基準面ＳＦ上等の所定の基墨Ｑ（基準線、基準点を意味する）に一致させることで、この基墨Ｑ方向に対して直角な方向を他方のレーザー光源２０からのレーザー光Ｌによって墨出しすることができる。この場合、レーザー光源２０、２０の照射角度を調整することで、床Ｆ上に直角方向のポイントＰを照射点として墨出しができる。
【００１９】
上記において、墨出し動作する各平面Ｍ１、Ｍ２は、基体１０の照準点１５及びそれに位置合わせした測量基準点ＳＰ上で直交し、基体１０の互いに直角な２辺１１、１１に平行で、且つ基体１０の表・裏面１０ａ、１０ｂに直交する向きとなる。この結果、例えば基体１０をその床Ｆに置いて測量基準点ＳＰに照準点１５を位置合わせした図４の状態では、測量基準点ＳＰにて直交する２つの鉛直な平面Ｍ１、Ｍ２上での墨出し動作が正確にできる。
勿論、上記のような床Ｆ上での墨出し動作は、壁Ｗなどの垂直面でも行える。
【００２０】
本実施形態によれば、レーザー式墨出し具１が簡単な構成で、且つ扁平で小型であり、従って使い易く、また携帯し易くて安価なものとなる。
またレーザー式墨出し具１をその基体１０で種々の測量基準面ＳＰに当てがい、或いは更に測量基準点ＳＰに対して照準点１５を位置合わせすることも簡単に精度よくでき、直角測量はもとより、２つのレーザー光源２０、２０の首振り、又は回転角度を簡単に調整することで、測量基準点ＳＰにて直交する２つの平面上Ｍ１、Ｍ２での墨出し動作による墨出しが正確にできる。
また基体１０の一対の辺１１、１１の側面１１ａ、１１ａの頂角の角度を９０以外の角度に設定することで、直角以外の墨出し作業もできる。
また基体１０やレーザー光源２０の外筒はアルミニウム製とすることによって、軽量で更に取り扱い易くて錆び難く、寿命の長いものとなる。
また基体１０自体を透明なものとすれば、照準点１５を測量基準点ＳＰに位置合わせするための特別な透視用穴部１４は不要となる。
またレーザー光源２０、２０の首振りや回転の角度を記す目盛りを設けておくと便利である。
【００２１】
勿論、既述したように、レーザー式墨出し具１は、その２辺１１、１１が規定する角度を９０度に固定する他、これに限られることはなく、基体１０の２辺１１、１１がなす角度を直角以外の角度に切り換え、又は変更できる手段として、ヒンジ構造を有したものとすることもできる。これによって２つのレーザー光源２０、２０が墨出し動作する２つの平面が測量基準点ＳＰでなす交差角度を９０度以外に設定でき、測量環境への対応幅が拡大する。この場合、２辺１１、１１間が規定する角度を読み取る目盛りや目盛機構を備えるようにすることで、角度調整が便利になる。
【図面の簡単な説明】
【００２２】
【図１】本発明の実施形態に係るレーザー式墨出し具を示し、（Ａ）は平面図、（Ｂ）は側面図である。
【図２】本実施形態に係るレーザー式墨出し具による直角測量の使用例を説明する平面図である。
【図３】本実施形態に係るレーザー式墨出し具による直角測量の使用例を説明する側面図である。
【図４】本実施形態に係るレーザー式墨出し具による直角測量の他の使用例を説明する斜視図である。
【図５】従来の装置例を示す概略斜視図である。
【符号の説明】
【００２３】
１      レーザー式墨出し具
１０    基体
１０ａ  表面
１０ｂ  裏面
１１    辺
１１ａ  側面
１２    斜辺
１３    コーナー部
１４    透視用穴部
１５    照準点
１６    開口
１７    軸
１８    電源部
１８ａ  スイッチ部
１９    脚
２０    レーザー光源
Ｆ      床
Ｌ      レーザー光
Ｍ１    面
Ｍ２    面
Ｐ      ポイント
Ｑ      基墨
ＳＦ    測量基準面
ＳＰ    測量基準点
Ｗ      壁
【図１】
2007218817.tif 000003
【図２】
2007218817.tif 000004
【図３】
2007218817.tif 000005
【図４】
2007218817.tif 000006
【図５】
2007218817.tif 000007